(57)【特許請求の範囲】
【請求項１】
木質の柱の上端面に梁を載せて固定する柱と梁の接合構造において、
柱の上端面に備えたボルトに、梁に設けた接続金物の底部を挿通し、接続金物の内部で該ボルトにナットを締結してなり、
前記柱と梁が建物の外郭を構成するに際し、柱の梁が載る上端面の外面側に該柱の下端部から該梁の上端部にまで及ぶ柱ふかし部を設けるとともに、梁の外面側に柱の柱ふかし部と面一をなして該柱ふかし部に突合わされる梁ふかし部を設けてなることを特徴とする柱と梁の接合構造。
【請求項２】
前記梁が木質からなり、前記接続金物に設けた取付板を該木質の梁の側面に取着してなる請求項１記載の柱と梁の接合構造。
【請求項３】
前記梁が鉄骨からなり、前記接続金物を該鉄骨の梁の下面に溶接してなる請求項１記載の柱と梁の接合構造。
【請求項４】
前記柱ふかし部が柱本体に柱ふかし材を付加して構成される請求項１〜３のいずれかに記載の柱と梁の接合構造。
【請求項５】
前記梁ふかし部が梁本体に梁ふかし材を付加して構成される請求項１〜３のいずれかに記載の柱と梁の接合構造。
【請求項６】
前記柱ふかし部と梁ふかし部の突合せ部の目地に防水シール材を装填してなる請求項１〜５のいずれかに記載の柱と梁の接合構造。
【請求項７】
前記梁ふかし部の表面に予め外壁面仕上げを施してなる請求項１〜６のいずれかに記載の柱と梁の接合構造。
【請求項８】
相隣る建物ユニットを並置し、両建物ユニットの相対する柱の上端面に梁を載せて架け渡し、それらの柱間に開口部を形成するに際し、それらの柱と梁の接合構造として、請求項１〜７のいずれかに記載のものを採用してなるユニット建物。
【発明の詳細な説明】
【０００１】
【発明の属する技術分野】
本発明はユニット建物等に用いて好適な柱と梁の接合構造に関する。
【０００２】
【従来の技術】
ユニット建物で用いる柱と梁の接合構造として、特開平1-311999号公報では、木質の柱の上端面に梁を載せて固定するに際し、柱の上端面に加工したほぞに梁の下面に加工したほぞ溝を嵌め合せ、柱の側面に取着したＬ字状の梁受金具に梁を釘打ち固定するものを開示している。
【０００３】
【発明が解決しようとする課題】
然しながら、従来技術には以下の問題点がある。
▲１▼柱と梁の間に作用する引抜き力に耐える耐引抜き強度を十分に確保できず、建物の高層化や大型化に十分対応できない。
【０００４】
▲２▼柱と梁のそれぞれにおけるほぞとほぞ溝の加工コストが高い。
【０００５】
本発明の課題は、柱と梁の接合部に、簡易な構造により、十分な耐引抜き強度を確保することにある。
【０００６】
【課題を解決するための手段】
請求項１に記載の発明は、木質の柱の上端面に梁を載せて固定する柱と梁の接合構造において、柱の上端面に備えたボルトに、梁に設けた接続金物の底部を挿通し、接続金物の内部で該ボルトにナットを締結してなり、前記柱と梁が建物の外郭を構成するに際し、柱の梁が載る上端面の外面側に該柱の下端部から該梁の上端部にまで及ぶ柱ふかし部を設けるとともに、梁の外面側に柱の柱ふかし部と面一をなして該柱ふかし部に突合わされる梁ふかし部を設けてなるようにしたものである。
【０００７】
請求項２に記載の発明は、請求項１に記載の発明において更に、前記梁が木質からなり、前記接続金物に設けた取付板を該木質の梁の側面に取着してなるようにしたものである。
【０００８】
請求項３に記載の発明は、請求項１に記載の発明において更に、前記梁が鉄骨からなり、前記接続金物を該鉄骨の梁の下面に溶接してなるようにしたものである。
【００１０】
請求項４に記載の発明は、請求項１〜３のいずれかに記載の発明において更に、前記柱ふかし部が柱本体に柱ふかし材を付加して構成されるようにしたものである。
【００１１】
請求項５に記載の発明は、請求項１〜３のいずれかに記載の発明において更に、前記梁ふかし部が梁本体に梁ふかし材を付加して構成されるようにしたものである。
【００１２】
請求項６に記載の発明は、請求項１〜５のいずれかに記載の発明において更に、前記柱ふかし部と梁ふかし部の突合せ部の目地に防水シール材を装填してなるようにしたものである。
【００１３】
請求項７に記載の発明は、請求項１〜６のいずれかに記載の発明において更に、前記梁ふかし部の表面に予め外壁面仕上げを施してなるようにしたものである。
【００１４】
請求項８に記載の発明は、相隣る建物ユニットを並置し、両建物ユニットの相対する柱の上端面に梁を載せて架け渡し、それらの柱間に開口部を形成するに際し、それらの柱と梁の接合構造として、請求項１〜７のいずれかに記載のものを採用してなるユニット建物である。
【００１５】
【作用】
請求項１の発明によれば下記(1)〜(3)の作用がある。
(1)柱と梁をボルト／ナットで締結したから、十分な耐引抜き強度を確保できる。尚、梁に設けた接続金物に柱の側のボルトを挿通するものであるから、梁にボルト挿通孔を加工するものに比して、梁の強度を損なう虞がない。
【００１６】
(2)柱にボルトを設け、梁に接続金物を設けるだけの簡易な構造であり、加工コストを低くできる。
(3)建物の外郭を構成する柱と梁の接合部で、相じゃくり型をなす柱ふかし部と梁ふかし部を突合せたから、建物の外側から見た柱と梁の突合せ部の目地が直線状（Ｉ型）になり、この突合せ部の目地を単純で小さなものにし、外観性を向上できるし、防水ラインも単純化できる。
【００１７】
請求項２の発明によれば下記(4)の作用がある。
(4)木質梁の側面に接続金物に設けた取付板を取着することにより、木質梁に簡易且つ確実に接続金物を設けることができる。
【００１８】
請求項３の発明によれば下記(5)の作用がある。
(5)鉄骨梁に接続金物を溶接することにより、鉄骨梁に簡易且つ確実に接続金物を設けることができる。
【００２０】
請求項４の発明によれば下記(6)の作用がある。
(6)柱ふかし部を柱本体に柱ふかし材を付加して構成したから、この柱本体として建物の内部に設けられる柱と同一断面材のものを用いることができる。
【００２１】
請求項５の発明によれば下記(7)の作用がある。
(7)梁ふかし部を梁本体に梁ふかし材を付加して構成したから、この梁本体として建物の内部に設けられる梁と同一断面材のものを用いることができる上、この梁本体に建物の内部の梁に設けた接続金物と同一のものを用いることができ、部品の共通化を図ることができる。
【００２２】
請求項６の発明によれば下記(8)の作用がある。
(8)柱ふかし部と梁ふかし部の突合せ部の目地に防水シール材を装填することにより、単純な直線状防水シール材により柱と梁の接合部の防水を図ることができる。
【００２３】
請求項７の発明によれば下記(9)の作用がある。
(9)梁ふかし部の表面に予め外壁面仕上げを施してあるから、梁を柱に接合した後、柱と梁の接合部の防水施工のみ行なえば足りる。従って、現地据付後の施工工数を低減できる。
【００２４】
請求項８の発明によれば下記(10)の作用がある。
(10)相隣る建物ユニットに渡る広い開口部を形成する両建物ユニットの柱と、それら柱間に架け渡される梁の接合部において、上述(1)〜(9)を実現できる。
【００２５】
【発明の実施の形態】
図１は本発明が適用されるユニット建物を示す斜視図、図２は第１参考形態の柱と梁の接合構造を示す斜視図、図３は接続金物を示す斜視図、図４は接続金物を示し、（Ａ）は正面図、（Ｂ）は側面図、（Ｃ）は底面図、図５は第２参考形態の柱と梁の接合構造を示す斜視図、図６は鉄骨梁と接続金物を示す斜視図、図７は第１実施形態のユニット建物を示す斜視図、図８は第１実施形態の柱と梁の接合構造を建物の内部から示し、（Ａ）は梁導入過程を示す斜視図、（Ｂ）梁固定過程を示す斜視図、図９は第１実施形態の柱と梁の接合構造を建物の外部から示す斜視図、図１０は図９のＸ−Ｘ線に沿う断面図、図１１は第１実施形態の柱と梁の接合構造を模式的に示し、（Ａ）は梁導入過程を建物の内部から示す斜視図、（Ｂ）は梁固定過程を建物の外部から示す斜視図、図１２は第１実施形態の建物の外観を示す正面図、図１３は第１実施形態の比較例としての柱と梁の接合構造を建物の外部から模式的に示す斜視図、図１４は第１実施形態の比較例としての建物の外観を示す正面図、図１５は第２実施形態の柱と梁の接合構造を建物の内部から示し、（Ａ）は梁導入過程を示す斜視図、（Ｂ）は梁固定過程を示す斜視図、図１６は第２実施形態の柱と梁の接合構造を建物の外部から示す斜視図である。
【００２６】
ユニット建物１０は、工場生産された複数の建物ユニットを建築現場に輸送して左右上下に接合したものであり、その一部を示す図１においては、下階建物ユニット１１、１２を隣接設置し、下階建物ユニット１１の上に上階建物ユニット１３を搭載している。
【００２７】
下階建物ユニット１１は、方形の床１１Ａの隣り合う２つの外縁部に壁１１Ｂ、１１Ｃを立設し、壁１１Ｂに相対する外縁部に壁１１Ｃに交差する小壁１１Ｄを備える。また、下階建物ユニット１２は、方形の床１２Ａの隣り合う２つの外縁部に壁１２Ｂ、１２Ｃを立設している。床１１Ａ、１２Ａは床枠組に床面材を貼り設けたパネルからなる。壁１１Ｂ、１１Ｃ、１１Ｄ、１２Ｂ、１２Ｃは壁枠組に壁面材を貼り付けたパネルからなる。
【００２８】
そして、ユニット建物１０にあっては、建築現場で、下階建物ユニット１１、１２をそれらの壁を立設していない外縁部を内側にして並置し、下階建物ユニット１１の小壁１１Ｄと下階建物ユニット１２の壁１２Ｃに梁１４を架け渡し、この梁１４及び壁１１Ｂ〜１１Ｄにより上階建物ユニット１３を支持するように組立てられる。これにより、下階に壁のない大きな居室空間を形成できる。
【００２９】
このとき、梁１４が架け渡される下階建物ユニット１１の小壁１１Ｄと下階建物ユニット１２の壁１２Ｃは、それら小壁１１Ｄ、壁１２Ｃの壁枠組の端部に角柱からなる木質柱１５、１６がボルト等で固定されている。そして、梁１４はそれら柱１５、１６の上端面に載置されて固定される。以下、柱１５、１６と梁１４の接合構造について説明する。
【００３０】
（第１参考形態）（図２〜図４）
図２は、ユニット建物１０において、梁１４に接合される２個の下階建物ユニット１１、１２を１組のユニット群とするとき、２組のユニット群を対称配置した状態を示している。
【００３１】
下階建物ユニット１１の小壁１１Ｄが備える柱１５は柱頭金物２１を釘打ち固定され、柱頭金物２１の上面にボルト２２を備える。
【００３２】
下階建物ユニット１２の壁１２Ｃが備える柱１６も、柱１５と同様に柱頭金物（不図示）を固定され、ボルト（不図示）を備える。
【００３３】
梁１４は木質からなり、両端部に四角筒状の接続金物２３、２３が設けられる。接続金物２３は、図３、図４に示す如く、底部にボルト挿通孔２４が設けられるとともに、上面の両側に２枚の取付板２５を溶接され、梁１４の端部を２枚の取付板２５の間に差し込み、この取付板２５を梁１４の側面に釘打ち固定されて梁１４に固定される。
【００３４】
そして、ユニット建物１０にあっては、下階建物ユニット１１の小壁１１Ｄの柱１５に備えたボルト２２に、梁１４の一端側の接続金物２３の底部のボルト挿通孔２４を挿通し、接続金物２３の内部で該ボルト２２にナット（不図示）を締結する。また、下階建物ユニット１２の壁１２Ｃの柱１６に備えたボルトに、梁１４の他端側の接続金物２３の底部のボルト挿通孔２４を挿通し、接続金物２３の内部で該ボルトにナットを締結する。
【００３５】
尚、下階建物ユニット１１の小壁１１Ｄの壁枠組を構成している上枠材１７の上面と、梁１４の一端部の上面にはジョイントプレート２６が釘打ち固定され、小壁１１Ｄに対する梁１４の接合強度を向上させている。ジョイントプレート２６が上枠材１７の上面と梁１４の上面に段差を生じさせないように、上枠材１７と梁１４にはジョイントプレート２６のためのザグリ１７Ａ、１４Ａが設けられている。
【００３６】
また、前述した２組のユニット群の境界部で、相隣る梁１４のそれぞれの中間部には上階受金物３１が釘打ち固定され、上階受金物３１の上面に１本の接合ボルト３２、２本のガイドピン３３を備える。そして、相隣る上階受金物３１、３１にはジョイントプレート３４が取着され、ジョイントプレート３４に設けた各孔を上階受金物３１の接合ボルト３２、ガイドピン３３に挿通している。ジョイントプレート３４が梁１４の中間部の上面に段差を生じさせないように、梁１４には上階受金物３１、ジョイントプレート３４のためのザグリ１４Ｂが設けられている。これにより、２組のユニット群を構成する各２個の下階建物ユニット１１、１２のそれぞれに搭載される上階建物ユニット１３を、梁１４の中間部で支持するに際し、上階建物ユニット１３に設けた柱脚金物（不図示）を上階受金物３１のガイドピン３３でガイドし、接合ボルト３２で固定化できる。
【００３７】
従って、本参考形態によれば、以下の作用がある。
(1)柱１５と梁１４をボルト／ナットで締結したから、十分な耐引抜き強度を確保できる。尚、梁１４に設けた接続金物２３に柱１５の側のボルト２２を挿通するものであるから、梁１４にボルト挿通孔２４を加工するものに比して、梁１４の強度を損なう虞れがない。
【００３８】
(2)柱１５にボルト２２を設け、梁１４に接続金物２３を設けるだけの簡易な構造であり、加工コストを低くできる。
【００３９】
(3)木質梁１４の側面に接続金物２３に設けた取付板２５を取着することにより、木質梁１４に簡易且つ確実に接続金物２３を設けることができる。
【００４０】
（第２参考形態）（図５、図６）
図５は、ユニット建物１０において、梁１４に接合される２個の下階建物ユニット１１、１２を１組のユニット群とするとき、２組のユニット群を対称配置した状態を示している。
【００４１】
下階建物ユニット１１の小壁１１Ｄが備える柱１５は柱頭金物２１を釘打ち固定され、柱頭金物２１の上面にボルト２２を備えている。
【００４２】
下階建物ユニット１２の壁１２Ｃが備える柱１６も、柱１５と同様に柱頭金物（不図示）を固定され、ボルト（不図示）を備える。
【００４３】
梁１４は鉄骨からなり、溝形鋼４１の両端部で柱１５、１６の接合部に各２枚のスチフナ４２Ａ、４２Ｂを、溝形鋼４１の中間部で上階建物ユニット１３の接合部に２枚のスチフナ４３Ａ、４３Ｂを溶接してある。そして、梁１４は、図６に示す如く、溝形鋼４１の両端部の柱１５、１６の接合部の下面に四角枠状の接続金物４２、４２を溶接してある。接続金物４２は、底部にボルト挿通孔４３Ａを備える。尚、梁１４は、溝形鋼４１の上面の全長に渡る上木桟４４を釘打ち固定され、溝形鋼４１の下面の接続金物４２、４２に挟まれる範囲に下木桟４５を釘打ち固定されている。上木桟４４は上階建物ユニット１３の支持面を構成し、下木桟４５は内層材の下地になる。
【００４４】
そして、ユニット建物１０にあっては、下階建物ユニット１１の小壁１１Ｄの柱１５に備えたボルト２２に、梁１４の一端側の接続金物４２の底部のボルト挿通孔４３を挿通し、接続金物４２の内部で該ボルト２２にナット（不図示）を締結する。また、下階建物ユニット１２の壁１２Ｃの柱１６に備えたボルトに、梁１４の他端側の接続金物４２の底部のボルト挿通孔４３を挿通し、接続金物４２の内部で該ボルトにナットを締結する。
【００４５】
尚、下階建物ユニット１１の小壁１１Ｄの壁枠組を構成している上枠材１７の上面と、梁１４の上木桟４４の上面にはジョイントプレート４６が釘打ち固定され、小壁１１Ｄに対する梁１４の接合強度を向上させている。ジョイントプレート４６が上枠材１７の上面と上木桟４４の上面に段差を生じさせないように、上枠材１７と上木桟４４にはジョイントプレート４６のためのザグリ１７Ａ、４４Ａが設けられている。
【００４６】
また、前述した２組のユニット群の境界部で、相隣る梁１４のそれぞれの中間部において、溝形鋼４１の上面には１本の接合ボルト４７、２本のガイドピン４８が設けられ、接合ボルト４７、ガイドピン４８は上木桟４４を貫通して設けられている。そして、相隣る溝形鋼４１、４１にはジョイントプレート４９が取着され、ジョイントプレート４９に設けた各孔を溝形鋼４１の接合ボルト４７、ガイドピン４８に挿通している。ジョイントプレート４９が梁１４の中間部で上木桟４４の上面に段差を生じさせないように、上木桟４４にはジョイントプレート４９のためのザグリ４４Ｂが設けられている。これにより、２組のユニット群を構成する各２個の下階建物ユニット１１、１２のそれぞれに搭載される上階建物ユニット１３を、梁１４の中間部で支持するに際し、上階建物ユニット１３に設けた柱脚金物（不図示）を溝形鋼４１のガイドピン４８でガイドし、接合ボルト４７で固定化できる。
【００４７】
従って、本参考形態によれば、以下の作用がある。
(1)柱１５と梁１４をボルト／ナットで締結したから、十分な耐引抜き強度を確保できる。尚、梁１４に設けた接続金物４２に柱１５の側のボルト２２を挿通するものであるから、梁１４にボルト挿通孔４３を加工するものに比して、梁１４の強度を損なう虞れがない。
【００４８】
(2)柱１５にボルト２２を設け、梁１４に接続金物４２を設けるだけの簡易な構造であり、加工コストを低くできる。
【００４９】
(3)鉄骨梁１４に接続金物４２を溶接することにより、鉄骨梁１４に簡易且つ確実に接続金物４２を設けることができる。
【００５０】
（第１実施形態）（図７〜図１４）
第１実施形態のユニット建物５０は、図７に示す如く、その下階の一部を図７に示す如く構成するものであり、工場生産された下階建物ユニット５１、５２を建築現場にて並置し、ユニット建物５０の外郭を構成する下階建物ユニット５１の小壁５１Ａと下階建物ユニット５２の小壁５２Ａを同一ライン上にて離隔配置し、それら小壁５１Ａ、５２Ａの壁枠組の端部に角柱からなる木質柱５３、５４をボルト等で固定している。そして、ユニット建物５０は、両建物ユニット５１、５２の相対する柱５３、５４の上端面に梁５５を載せて架け渡し、それらの柱５３、５４の間に広く連続する開口部５６を形成する。以下、柱５３、５４と梁５５の接合構造について説明する。
【００５１】
尚、小壁５１Ａの柱５３（小壁５２Ａの柱５４も同じ）は、梁５５が載る上端面の外面側に、柱５３の下端部から梁５５の上端面にまで及ぶ柱ふかし部を設けており、この柱ふかし部を柱本体５３Ａ（５４Ａ）に柱ふかし材５３Ｂ（５４Ｂ）を付加して構成している。小壁５１Ａは内壁面材５７Ａと、外壁面材５７Ｂを備え、外壁面材５７Ｂを柱ふかし材５３Ｂの外面を覆う範囲まで延在している。
【００５２】
また、梁５５は、外面側に柱５３、５４の柱ふかし材５３Ｂ、５４Ｂと面一をなして該柱ふかし材５３Ｂ、５４Ｂに突合わされる梁ふかし部を設けており、この梁ふかし部を梁本体５５Ａに梁ふかし材５５Ｂを付加して構成している。梁ふかし材５５Ｂは、縦枠材と横枠材を枠組したパネルからなる。梁５５は、梁本体５５Ａに内壁面材５８Ａを備え、梁ふかし材５５Ｂに外壁面材５８Ｂを備える。
【００５３】
しかるに、下階建物ユニット５１の小壁５１Ａが備える柱５３の柱本体５３Ａは柱頭金物６１を釘打ち固定され、柱頭金物６１の上面にボルト６２を備える。
【００５４】
下階建物ユニット５２の小壁５２Ａが備える柱５４も、柱５３と同様に柱頭金物（不図示）を固定され、ボルト（不図示）を備える。
【００５５】
梁５５の梁本体５５Ａは木質からなり、両端部に四角筒状の接続金物６３、６３が設けられる。接続金物６３は、図８に示す如く、底部にボルト挿通孔６４が設けられるとともに、上面の両側に２枚の取付板６５を溶接され、梁本体５５Ａの端部を２枚の取付板６５の間に差し込み、この取付板６５を梁本体５５Ａの側面に釘打ち固定されて梁５５に固定される。
【００５６】
そして、ユニット建物５０にあっては、図８〜図１０に示す如く、下階建物ユニット５１の小壁５１Ａの柱５３の柱本体５３Ａに備えたボルト６２に、梁５５の梁本体５５Ａの一端側の接続金物６３の底部のボルト挿通孔６４を挿通し、接続金物６３の内部で該ボルト６２にナット６２Ａを締結する。また、下階建物ユニット５２の小壁５２Ａの柱５４の柱本体５４Ａに備えたボルトに、梁５５の梁本体５５Ａの他端側の接続金物６３の底部のボルト挿通孔６４を挿通し、接続金物６３の内部で該ボルトにナットを締結する。
【００５７】
尚、下階建物ユニット５１、５２の小壁５１Ａ、５２Ａの壁枠組を構成している上枠材５１Ｂ、５２Ｂの上面と、梁５５の梁本体５５Ａの両端部の上面にはジョイントプレート６６が釘打ち固定され、小壁５１Ａ、５２Ａに対する梁５５の接合強度を向上させている。ジョイントプレート６６が上枠材５１Ｂ、５２Ｂの上面と梁本体５５Ａの上面に段差を生じさせないように、上枠材５１Ｂ、５２Ｂと梁本体５５Ａにはジョイントプレート６６のためのザグリ５１Ｃ、５５Ｃが設けられている。
【００５８】
また、梁５５の梁本体５５Ａの中間部には上階受金物７１が釘打ち固定され、上階受金物７１の上面に１本の接合ボルト７２、２本のガイドピン７３を備える。上階受金物７１が梁本体５５Ａの中間部の上面に段差を生じさせないように、梁本体５５Ａには上階受金物７１のためのザグリ５５Ｃが設けられている。これにより、２個の下階建物ユニット５１、５２のそれぞれに搭載される上階建物ユニットを、梁５５の中間部で支持するに際し、上階建物ユニットに設けた柱脚金物（不図示）を上階受金物７１のガイドピン７３でガイドし、接合ボルト７２で固定化できる。
【００５９】
このようにして、両建物ユニット５１、５２の相対する柱５３、５４の柱本体５３Ａ、５４Ａの上端面に梁５５を載せて架け渡したユニット建物５０にあっては、柱５３、５４と梁５５の接合部の外面でそれらの柱ふかし材５３Ｂ、５４Ｂと梁ふかし材５５Ｂを相じゃくり型をなして突合せる状態で、両柱５３、５４の間に開口部５６を形成し、この開口部５６に窓サッシ５６Ａが嵌合される（図１２）。
【００６０】
そして、ユニット建物５０にあっては、図１１、図１２に示す如く、柱５３、５４と梁５５の接合部の外面で相じゃくりをなす柱ふかし材５３Ｂ、５４Ｂと梁ふかし材５５Ｂを突合せたから、外側からみた柱５３、５４と梁５５の突合せ部の目地７５が直線状になり、この目地７５に防水シール材７６が装填される（図１０）。尚、柱５３、５４と梁５５の突合せ部で柱ふかし材５３Ｂ、５４Ｂや梁ふかし材５５Ｂを伴わない、第１参考形態で前述した如くに建物の内部で用いた柱１５、１６と梁１４の接合構造を採用したときには、柱５３、５４と梁５５の突合せ部の目地７５Ａが図１３、図１４に示す如くのＬ字状になってしまう。
【００６１】
また、ユニット建物５０にあっては、柱５３、５４の柱本体５３Ａ、５４Ａとして第１参考形態で前述した如くに建物の内部で用いられる柱１５、１６と同一寸法材のものを共通使用できる。梁５５の梁本体５５Ａも第１参考形態の梁１４と同一寸法材のものを共通使用できる。これによって、柱頭金物６１、接続金物６３を第１参考形態の柱頭金物２１、接続金物２３と共通使用できる。
【００６２】
従って、本実施形態によれば、以下の作用がある。
(1)柱５３、５４と梁５５をボルト／ナットで締結したから、十分な耐引抜き強度を確保できる。尚、梁５５に設けた接続金物６３に柱５３、５４の側のボルト６２を挿通するものであるから、梁５５にボルト挿通孔を加工するものに比して、梁５５の強度を損なう虞がない。
【００６３】
(2)柱５３、５４にボルト６２を設け、梁５５に接続金物６３を設けるだけの簡易な構造であり、加工コストを低くできる。
【００６４】
(3)木質梁５５の側面に接続金物６３に設けた取付板６５を取着することにより、木質梁５５に簡易且つ確実に接続金物６３を設けることができる。
【００６５】
(4)ユニット建物５０の外郭を構成する柱５３、５４と梁５５の接合部で、相じゃくり型をなす柱ふかし部と梁ふかし部を突合せたから、ユニット建物５０の外側から見た柱５３、５４と梁５５の突合せ部の目地７５が直線状（Ｉ型）になり、この突合せ部の目地７５を単純で小さなものにし、外観性を向上できるし、防水ラインも単純化できる。
【００６６】
(5)柱ふかし部を柱本体５３Ａ、５４Ａに柱ふかし材５３Ｂ、５４Ｂを付加して構成したから、この柱本体５３Ａ、５４Ａとして建物の内部に設けられる柱１５、１６と同一断面材のものを用いることができる。
【００６７】
(6)梁ふかし部を梁本体５５Ａに梁ふかし材５５Ｂを付加して構成したから、この梁本体５５Ａとしてユニット建物５０の内部に設けられる梁５５と同一断面材のものを用いることができる上、この梁本体５５Ａに建物の内部の梁１４に設けられる接続金物２１と同一のものを用いることができ、部品の共通化を図ることができる。
【００６８】
(7)柱ふかし部と梁ふかし部の突合せ部の目地７５に防水シール材７６を装填することにより、単純な直線状防水シール材７６により柱５３、５４と梁５５の接合部の防水を図ることができる。
【００６９】
(8)相隣る建物ユニット５１、５２に渡る広い開口部５６を形成する両建物ユニット５１、５２の柱５３、５４と、それら柱５３、５４間に架け渡される梁５５の接合部において、上述(1)〜(7)を実現できる。
【００７０】
（第２実施形態）（図１５、図１６）
第２実施形態は、第１実施形態のユニット建物５０において、梁５５に設けた梁ふかし材５５Ｂの表面の外壁面材５８Ｂにその工場生産段階で予め塗装等の外壁面仕上げ８０を施したことにある。
【００７１】
本実施形態によれば、両建物ユニット５１、５２を建築現場に据付け、梁５５を柱５３、５４に接合した後、柱５３、５４と梁５５の接合部の防水施工のみ行なえば足りる。従って、現地据付け具の施工工数を低減できる。
【００７２】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明で用いる接続金物は必ずしも四角筒状をなすものに限らず、箱形状、Ｕ字型状等の他の形態からなるものであっても良い。
【００７３】
また、本発明で柱と梁に用いる柱ふかし部、梁ふかし部は、柱本体、梁本体を切削加工してそれら柱、梁に設けるものでも良い。
【００７４】
また、本発明はユニット建物に限らず、広く一般の建物に適用できる。
【００７５】
【発明の効果】
以上のように本発明によれば、柱と梁の接合部に、簡易な構造により、十分な耐引抜き強度を確保することができる。
【図面の簡単な説明】
【図１】  図１は本発明が適用されるユニット建物を示す斜視図である。
【図２】  図２は第１参考形態の柱と梁の接合構造を示す斜視図である。
【図３】  図３は接続金物を示す斜視図である。
【図４】  図４は接続金物を示し、（Ａ）は正面図、（Ｂ）は側面図、（Ｃ）は底面図である。
【図５】  図５は第２参考形態の柱と梁の接合構造を示す斜視図である。
【図６】  図６は鉄骨梁と接続金物を示す斜視図である。
【図７】  図７は第１実施形態のユニット建物を示す斜視図である。
【図８】  図８は第１実施形態の柱と梁の接合構造を建物の内部から示し、（Ａ）は梁導入過程を示す斜視図、（Ｂ）梁固定過程を示す斜視図である。
【図９】  図９は第１実施形態の柱と梁の接合構造を建物の外部から示す斜視図である。
【図１０】  図１０は図９のＸ−Ｘ線に沿う断面図である。
【図１１】  図１１は第１実施形態の柱と梁の接合構造を模式的に示し、（Ａ）は梁導入過程を建物の内部から示す斜視図、（Ｂ）は梁固定過程を建物の外部から示す斜視図である。
【図１２】  図１２は第１実施形態の建物の外観を示す正面図である。
【図１３】  図１３は第１実施形態の比較例としての柱と梁の接合構造を建物の外部から模式的に示す斜視図である。
【図１４】  図１４は第１実施形態の比較例としての建物の外観を示す正面図である。
【図１５】  図１５は第２実施形態の柱と梁の接合構造を建物の内部から示し、（Ａ）は梁導入過程を示す斜視図、（Ｂ）は梁固定過程を示す斜視図である。
【図１６】  図１６は第２実施形態の柱と梁の接合構造を建物の外部から示す斜視図である。
【符号の説明】
１４  梁
１５  柱
２２  ボルト
２３、４２  接続金物
２５  取付板
４１  溝形鋼
５０  ユニット建物
５１、５２  建物ユニット
５３、５４  柱
５３Ａ、５４Ａ  柱本体
５３Ｂ、５４Ｂ  柱ふかし材
５５  梁
５５Ａ  梁本体
５５Ｂ  梁ふかし材
５６  開口部
６２  ボルト
６２Ａ  ナット
６３  接続金物
６５  取付板
７５  目地
７６  防水シール材
８０  外壁面仕上げ
【図１】
0004574835.tif 000002
【図２】
0004574835.tif 000003
【図３】
0004574835.tif 000004
【図４】
0004574835.tif 000005
【図５】
0004574835.tif 000006
【図６】
0004574835.tif 000007
【図７】
0004574835.tif 000008
【図８】
0004574835.tif 000009
【図９】
0004574835.tif 000010
【図１０】
0004574835.tif 000011
【図１１】
0004574835.tif 000012
【図１２】
0004574835.tif 000013
【図１３】
0004574835.tif 000014
【図１４】
0004574835.tif 000015
【図１５】
0004574835.tif 000016
【図１６】
0004574835.tif 000017